(57)【特許請求の範囲】
【請求項１】
被照射面の照度を検知する照度センサと、前記照度センサの出力を受けて照明負荷の光出力を制御する制御部と、被照射面の設定照度を切り替える目盛りを有した設定照度切替スイッチと、前記照度センサの感度を切り替える照度センサ感度切替スイッチとを備える照明装置において、
設定照度切替スイッチの目盛りに対応して所望の設定照度を設定し、
照度センサ感度切替スイッチの目盛りに対応して使用者が照度センサ感度切替スイッチを切替えることにより照度センサの感度が変更されるものであり、この照度センサの感度は被照射面の反射率が低い程高くなるように設定され、
照度センサ感度切替スイッチの目盛りと設定照度切替スイッチの目盛りとに対応して選択された反射率において選択された所望の設定照度に照明負荷の光出力がなるような照度センサのスレッシュレベル値を記憶する記憶手段を設け、
照度センサの検出値が、記憶手段に記憶されているデータより照度センサ感度切替スイッチの目盛りと設定照度切替スイッチの目盛りとに対応した照度センサのスレッシュレベル値になるように、
制御部が照明負荷の光出力を制御するものであることを特徴とする照明装置。
【発明の詳細な説明】
【０００１】
【発明の属する利用分野】
本発明は照明装置に関するものであり、更に詳しくは、照度センサを有し、照度センサにて被照射面の反射光を検知して照明負荷の光出力を制御する、フィードバック制御を行う照明装置に関する。
【０００２】
【従来の技術】
本発明に係る従来例のブロック構成図を図１２に、そのフローチャートを図１３に示す。
【０００３】
本構成は、被照射面（例えば被照射面）での反射光を照度センサ１で検知した出力と、照度センサ感度切替手段３によって設定された照度センサ１の感度値と、照度調整手段４によって設定された被照射面の照度値とに基づいて、照度センサ１の検出値が略一定になる様に、制御部２から送信される調光信号５により照明負荷（以下、照明と呼ぶ。）６の光出力を制御するものである。また、図１４のブロック構成図に示す様に、照度センサ１の感度値は、照度センサ感度切替手段３のオンオフで選択し、設定照度値は、照度調整手段４のボリューム調整で設定する。
【０００４】
次に、図１３に示すフローチャートと図１４に示すブロック構成図とに基づいて、本従来例の動作を簡単に説明する。
【０００５】
被照射面での反射光を検知した照度センサ１の検出値と照度調整手段４の設定値とを比較し、照度センサ１の検出値が照度調整手段４の設定値よりも大きければ照明６の調光比をダウンし、照度センサ１の検出値が照度調整手段４の設定値と一致していれば照明６の調光比を維持し、照度センサ１の検出値が照度調整手段４の設定値よりも小されば照明６の調光比をアップして、照度センサ１の検出値が照度調整手段４の設定値と略一致する様に照明６の光出力を制御する。
【０００６】
ここで、制御部２は、例えば図１５の回路図に示す様に、抵抗Ｒ１〜Ｒ５と比較器Ｃｏｍｐ１、Ｃｏｍｐ２とフォトダイオードｐｄとスイッチＳＷとで構成されるものでもよく、本回路では、スイッチＳＷをオンオフすることでオペアンプの増幅率を変化させる。被照射面が低反射率を有する場合は、図１６（ａ）に示す様にスイッチＳＷをオンして照度センサ１の感度を高くし、被照射面が高反射率を有する場合は、図１６（ｂ）に示す様にスイッチＳＷをオフして照度センサ１の感度を低くする。
【０００７】
【発明が解決しようとする課題】
しかし、上記従来例では、所望の照度を得る為に、設定作業毎に照度調整手段４による調整を行う必要があり、目標照度を変更する作業が煩雑になってしまうと共に、設定結果も記憶していない為に照度の再現性も低い、という問題が生じてしまう。
【０００８】
本発明は、上記の問題点に鑑みてなされたものであり、その目的とするところは、所望の照度を得る為の手間を省き、容易に所望の照度を得ることが可能な照明装置を提供することである。
【０００９】
【課題を解決するための手段】
上記問題点を解決するために、請求項１記載の発明によれば、被照射面の照度を検知する照度センサと、照度センサの出力を受けて照明負荷の光出力を制御する制御部と、被照射面の設定照度を切り替える目盛りを有した設定照度切替スイッチと、照度センサの感度を切り替える照度センサ感度切替スイッチとを備え、設定照度切替スイッチの目盛りに対応して所望の設定照度を設定し、照度センサ感度切替スイッチの目盛りに対応して使用者が照度センサ感度切替スイッチを切替えることにより照度センサの感度が変更されるものであり、この照度センサの感度は被照射面の反射率が低い程高くなるように設定され、照度センサ感度切替スイッチの目盛りと設定照度切替スイッチの目盛りとに対応して選択された反射率において選択された所望の設定照度に照明負荷の光出力がなるような照度センサのスレッシュレベル値を記憶する記憶手段を設け、照度センサの検出値が、記憶手段に記憶されているデータより照度センサ感度切替スイッチの目盛りと設定照度切替スイッチの目盛りとに対応した照度センサのスレッシュレベル値になるように、制御部が照明負荷の光出力を制御するものであることを特徴とする。
【００１２】
請求項２記載の発明によれば、照度センサの受光面面積を変化する変化手段を設けたことを特徴とする。
【００１４】
【実施の形態】
（実施の形態１）
本発明に係る第１の実施の形態のブロック構成図を図１に示す。
【００１５】
図１２に示した従来例と異なる点は、制御部２、照度センサ感度切替手段３、照度調整手段４の代わりに、照度センサ１のスレッシュレベルを記憶している記憶手段（以下、メモリと呼ぶ。）８と、照度センサ１の感度を切り替える照度センサ感度切替ＳＷ９と、被照射面の設定照度を切り替える設定照度切替ＳＷ１０と、照度センサ１の検出値とメモリ８に記憶されているデータと照度センサ感度切替ＳＷ９の設定値と設定照度切替ＳＷ１０の設定値とに基づいて、照度センサ１の検出値が略一定になる様に照明６の光出力を制御するマイクロコンピュータ（以下、マイコンと呼ぶ。）７とを設けたことであり、その他の従来例と同一構成には同一符号を付すことにより説明を省略する。
【００１６】
被照射面の反射光を天井面等に設けられた照度センサ１によって検知する場合、被照射面の反射率によって照度センサ１の近傍照度は変化し、例えば図２より、被照射面の反射率が１０％であれば、被照射面照度が１０００ｌｘであっても照度センサ１の近傍照度は１００ｌｘとなる。また、被照射面の反射率が低い程、照度センサ１の感度が高くなる様に設定することによって照度センサ１の検出精度を向上させる場合、例えば図３より、反射率が１０％で照度センサ１の近傍照度が１００ｌｘであれば照度センサ１の出力電圧（以下、スレッシュレベルと呼ぶ。）は５Ｖとなる。
【００１７】
表１に、照度センサ感度切替ＳＷ９の目盛り１、２、３、４、５の各々に対して反射率１０％、２０％、３０％、４０％、５０％と設定し、設定照度切替ＳＷ１０の目盛り１、２、３…８の各々に対して設定照度を２００、３００、４００…１０００と設定した場合の、照度センサ１のスレッシュレベルを示す。
【００１８】
【表１】
0003721697.tif 000002
【００１９】
本実施の形態では、表１に示す様な、照度センサ感度切替ＳＷ９の目盛りと設定照度切替ＳＷ１０の目盛りとに対応した照度センサ１のスレッシュレベルをメモリ８に記憶しておく。
【００２０】
図４に示すフローチャートを参照して、動作を簡単に説明する。
先ず、照度センサ感度切替ＳＷ９の目盛りを設定することにより照度センサ感度切替ＳＷ９の値をマイコン７に読み込み、次に設定照度切替ＳＷ１０の目盛りを設定することにより設定照度切替ＳＷ１０の値をマイコン７に読み込む。メモリ８から、照度センサ感度切替ＳＷ９と設定照度切替ＳＷ１０との設定した目盛りに対応した照度センサ１のスレッシュレベル値Ａを読み込む。そして、照度センサ１の検出値Ｂを読み込み、値Ａと値Ｂとを比較する。値Ａ＜値Ｂなら照明６の光出力をダウンし、値Ａ＝値Ｂなら照明６の光出力を維持し、値Ａ＞値Ｂなら照明６の光出力をアップする。以上の様な動作を繰り返し、値Ａと値Ｂとが略一定になる様に照明６の光出力を制御する。
【００２１】
以上の様に構成することで、被照射面などの反射率に応じた所望の照度を得る為の手間を省き、容易に所望の照度を得ることが可能となった。
【００２２】
なお、メモリ８に記憶させる値や、照度センサ感度切替ＳＷ９の各目盛りに対する設定照度や、設定照度切替ＳＷ１０の各目盛りに対する反射率の設定は、用途、場所などに応じて任意に選択してもよく、例えば、ある同一の設定照度で各反射率に対して異なるスレッシュレベル値Ａとなる様に設定してもよい。また、照度センサ１は、例えば図５に示す様に、抵抗Ｒ１、Ｒ２、Ｒ４、Ｒ６〜Ｒ８・・・と比較器Ｃｏｍｐ１、Ｃｏｍｐ２とフォトダイオードｐｄとで構成され、増幅率を変えることによって被照射面などの反射率に対応するものでも、他の構成でも構わない。更に、図６に示す様に、照度センサ１の感度をより細かく設定してもよく、この様に設定することで、よりキメ細かく被照射面の反射率に対応することが可能となる。更にまた、図７に示す様に、照度センサ１の感度の傾きを変えても構わない。
【００２３】
（参考例１）
本発明に係る参考例１を以下に示す。
【００２４】
図１に示した第１の実施の形態と異なる点は、照度センサ１の感度設定を変化させないで異なる被照射面の反射率に対応する為に、各反射率に応じて照度センサ１の受光量を変化する変化手段を設けたことであり、その他の第１の実施の形態と同一構成には同一符号を付すことにより説明を省略する。
【００２５】
つまり、例えば反射率３０％に対応した感度を有する様に照度センサ１のスレッシュレベルを設定している場合において、照度センサ１の受光面面積を０．６倍にすることにより、照度センサ１の受光量を変化させることができ、よって、照度センサ１の感度設定を変化させないで、反射率５０％に対応した感度を有する様にスレッシュレベルを変化できる。なお、照度センサ１の受光面面積を変えるには、例えば図９（ｂ）、（ｃ）に示す様に遮光板を設ける手段があるが、他の手段を用いても構わない。
【００２６】
（参考例２）
本発明に係る参考例２のブロック構成図を図１０に、そのフローチャートを図１１に示す。
【００２７】
図１に示した第１の実施の形態と異なる点は、初期照度補正を行う為に、照明６を７０％調光点灯させる為の照明光出力７０％ＳＷ１１を設けたことであり、その他の第１の実施の形態と同一構成には同一符号を付すことにより説明を省略する。
【００２８】
以下、図１１を参照して動作を簡単に説明する。
予め被照射面の反射率に応じて照度センサ感度切替ＳＷ９の目盛りを設定しておく。そして、照明光出力７０％ＳＷ１１をオンすると照明６を７０％調光点灯させ、その時の照度センサ１のスレッシュレベル値Ａをメモリ８に記憶する。メモリ８に記憶された照度センサ１のスレッシュレベル値Ａと照度センサ１の検出値Ｂとを比較して、値Ａ＜値Ｂなら照明６の光出力をダウンし、値Ａ＝値Ｂなら照明６の光出力を維持し、値Ａ＞値Ｂなら照明６の光出力をアップする。以上の様な動作を繰り返し、値Ａと値Ｂとが略一定になる様に照明６の光出力を制御する。
【００２９】
この様に構成したことにより、省エネ効果を得ることができる。
なお、本参考例では、照明６を７０％調光点灯させる為の照度センサ１のスレッシュレベル値Ａをメモリ８にて記憶したが、７０％調光点灯ではなく他の調光比での調光点灯でも構わない。また、装置の保守率を考慮して照度センサ１のスレッシュレベル値Ａを決定する様に構成しても構わない。
【００３０】
【発明の効果】
請求項１、２に記載の発明によれば、照度センサの検出精度を向上させて被照射面の反射率に応じた所望の照度を得る為の手間を省き、容易に所望の照度を得ることが可能な照明装置を提供できる。
【図面の簡単な説明】
【図１】本発明に係る第１の実施の形態のブロック構成図を示す。
【図２】上記実施の形態に係る、被照射面の反射率毎の、被照射面照度に対する照度センサ１の近傍照度を示す特性図である。
【図３】上記実施の形態に係る、被照射面の反射率毎の、照度センサ１の近傍照度に対する照度センサ１の出力電圧を示す特性図である。
【図４】上記実施の形態に係るフローチャートを示す。
【図５】上記実施の形態に係る照度センサ１の回路図例を示す。
【図６】上記実施の形態に係る、被照射面の反射率毎の、照度センサ１の近傍照度に対する照度センサ１の出力電圧を示す別の特性図である。
【図７】上記実施の形態に係る、被照射面の反射率毎の、照度センサ１の近傍照度に対する照度センサ１の出力電圧を示す更に別の特性図である。
【図８】  本発明に係る参考例１の、照度センサ１の近傍照度に対する照度センサ１の出力電圧を示す特性図である。
【図９】  上記参考例１に係る、照度センサ１の受光面を示す模式図である。
【図１０】  本発明に係る参考例２のブロック構成図を示す。
【図１１】  上記参考例２に係るフローチャートを示す。
【図１２】本発明に係る従来例のブロック構成図を示す。
【図１３】上記従来例に係るフローチャートを示す。
【図１４】上記従来例に係る制御部２のブロック構成図を示す。
【図１５】上記従来例に係る制御部２の回路図例を示す。
【図１６】上記従来例に係る照度センサ１の近傍照度に対する照度センサ１の出力電圧を示す特性図である。
【符号の説明】
１      照度センサ
６      照明
８      記憶手段
９      照度センサ感度切替ＳＷ
１０    設定照度切替ＳＷ
【図１】
0003721697.tif 000003
【図２】
0003721697.tif 000004
【図３】
0003721697.tif 000005
【図４】
0003721697.tif 000006
【図５】
0003721697.tif 000007
【図６】
0003721697.tif 000008
【図７】
0003721697.tif 000009
【図８】
0003721697.tif 000010
【図９】
0003721697.tif 000011
【図１０】
0003721697.tif 000012
【図１１】
0003721697.tif 000013
【図１２】
0003721697.tif 000014
【図１３】
0003721697.tif 000015
【図１４】
0003721697.tif 000016
【図１５】
0003721697.tif 000017
【図１６】
0003721697.tif 000018